(57)【特許請求の範囲】
【請求項１】
外筒端面に突設された円筒状突起の内面にスパイラル状のカムを形成させたシリンダ錠と、鍵本体と摘みとを鍵本体の長さ方向に相対移動可能に嵌合させた鍵とを有し、上記摘みの前端に、鍵本体の巾方向に突出する少くとも１本のピンを植設し、施解錠時、ピンとカムとを係合させると共に、鍵の摘みを回すときカムの施錠時係合端縁又は解錠時係合端縁がピンに呈する反力の、鍵本体の長さ方向の分力により、鍵本体に対する摘みの相対位置を切替えることができるようにし、一方、摘みの一部に鍵本体と摘み部との相対位置を表示させる表示器を設けたことを特徴とする施解錠確認装置。
【請求項２】
外筒端面に突設された円筒状突起の内面にスパイラル状のカムを形成させたシリンダ錠と、鍵本体と摘みとを鍵本体の長さ方向に相対移動可能に嵌合させた鍵とを有し、上記摘みの前端に、鍵本体の巾方向に突出する少くとも１本のピンを植設し、施解錠時、ピンとカムとを係合させると共に、鍵の摘みを回すときカムの施錠時係合端縁又は解錠時係合端縁がピンに呈する反力の、鍵本体の長さ方向の分力により、鍵本体に対する摘みの相対位置を切替えることができるようにし、一方、摘みの一部に鍵本体と摘み部との相対位置を表示させる表示器を設け、他方、摘み内に、摘みの前端面から鍵本体に沿って出没可能なトリガーカムを有し、常時はトリガーカムが摘みの前端面から突出して、鍵本体の摘みに対する長さ方向の相対移動が禁止され、施解錠時には、シリンダ錠の端面によりトリガーカムが摘み内に没入する方向に押されて上記の移動が許可されるロック装置を設けたことを特徴とする施解錠確認装置。
【発明の詳細な説明】
【０００１】
【発明の属する技術分野】
この発明は、錠前の最新の施解錠状態を鍵に表示でき、その鍵の表示を視認することにより、外出先でも住戸や自動車の施解錠状態を確認できる施解錠確認装置に関する。
【０００２】
【従来の技術】
上記した機能を有する所謂施解錠確認装置は、現在種々のものが提案されているが、例えば、特願平２−１４５１６３（特開平４−３８３８２）によって提案された施解錠確認装置は、施解錠状態の表示の為に電池を用いる必要が無い、という点において着想が優れている。
【０００３】
この施解錠確認装置は、半径方向に着磁された小さな円柱状の表示マグネットを鍵の摘み内に回転自在に装着し、一方、シリンダ錠の端面の表示マグネットの移動軌跡に沿って相互に着磁方向が異なるドライグマグネットを配設し、ドライグマグネットと表示マグネットが近接したときに両者の間に生じる磁気吸引力及び磁気反発力を利用して表示マグネットを反転させるものである。
【０００４】
【発明が解決しようとする課題】
しかして、上記した施解錠確認装置は、表示マグネットの回転動力として磁気を利用しているため、ドライグマグネットと表示マグネットとの間の距離に敏感であり、両者間の距離が大きくなると表示マグネットの回転駆動力が急激に減少し、表示の信頼性が低下するという問題がある。
【０００５】
また、鍵の長期使用によって部品が摩耗したり、表示マグネットを収容する空間に埃や水分が入り込むと、表示マグネットが円滑に回転しなくなり、施解錠確認機能が保持できなくなる事態も考えられる。
【０００６】
更にまた、鍵による施解錠操作時、表示マグネットは鍵の摘み内において単に静かに回るだけなので、覗き窓内の表示を視認しない限り、ユーザーに対して何らの積極的な顕示を及ぼすことがない。
【０００７】
従って、施解錠時施解錠確認装置が確実に動作したか否かの判断が容易に行えないという不安が残る。
【０００８】
この発明は、上記した種々の不具合や使用上の不安を取り除き、長期間確実に作動し、施解錠時には装置の動作を積極的にユーザーに伝えられる機能をも合わせ持った施解錠確認装置を提供することを目的としている。
【０００９】
【課題を解決するための手段】
上記の目的を達成するため、請求項１に記載の発明は、外筒端面に突設された円筒状突起の内面にスパイラル状のカムを形成させたシリンダ錠と、鍵本体と摘みとを鍵本体の長さ方向に相対移動可能に嵌合させた鍵とを有し、上記摘みの前端に、鍵本体の巾方向に突出する少くとも１本のピンを植設し、施解錠時、ピンとカムとを係合させると共に、鍵の摘みを回すときカムの施錠時係合端縁又は解錠時係合端縁がピンに呈する反力の、鍵本体の長さ方向の分力により、鍵本体に対する摘みの相対位置を切替えることができるようにし、一方、摘みの一部に鍵本体と摘み部との相対位置を表示させる表示器を設けたことを特徴とする。
【００１０】
また、請求項２に記載の発明は、外筒端面に突設された円筒状突起の内面にスパイラル状のカムを形成させたシリンダ錠と、鍵本体と摘みとを鍵本体の長さ方向に相対移動可能に嵌合させた鍵とを有し、上記摘みの前端に、鍵本体の巾方向に突出する少くとも１本のピンを植設し、施解錠時、ピンとカムとを係合させると共に、鍵の摘みを回すときカムの施錠時係合端縁又は解錠時係合端縁がピンに呈する反力の、鍵本体の長さ方向の分力により、鍵本体に対する摘みの相対位置を切替えることができるようにし、一方、摘みの一部に鍵本体と摘み部との相対位置を表示させる表示器を設け、他方、摘み内に、摘みの前端面から鍵本体に沿って出没可能なトリガーカムを有し、常時はトリガーカムが摘みの前端面から突出して、鍵本体の摘みに対する長さ方向の相対移動が禁止され、施解錠時には、シリンダ錠の端面によりトリガーカムが摘み内に没入する方向に押されて上記の移動が許可されるロック装置を設けたことを特徴とする。
【００１１】
【発明の実施の形態】
以下、図面に示す実施例に基づいてこの発明について説明する。
ちなみに、現在使用されているシリンダ錠における鍵の操作態様は、勿論例外はあるが大別して２種類ある。
【００１２】
そのうちの１つは、鍵本体のウオードを水平にして鍵孔に挿入し、時計方向或は反時計方向に９０度回して施錠し、反時計方向或は時計方向に９０度戻して鍵孔から抜き、解錠するときには、鍵孔に鍵本体を挿入後、反時計方向或は時計方向に９０度回して解錠し、挿入角度位置に戻して鍵を抜く第１のタイプである。
【００１３】
他の１つは、鍵本体のウオードを垂直にして鍵孔に挿入し、時計方向或は反時計方向に１８０度回して施錠し、そのままの状態で鍵孔から抜き、解錠するときには、鍵孔に鍵本体を挿入後、反時計方向或は時計方向に１８０度回して解錠し、そのままの状態で鍵を抜く第２のタイプである。
【００１４】
この発明では、カムの形状を変えることにより、上記どちらのタイプのシリンダ錠にも適用可能であるが、便宜上、第１のタイプについて先に説明する。
【００１５】
図１及び図２において、符号１は外筒を、符号２は内筒をそれぞれ示し、これら外筒１及び内筒２を有するシリンダ錠は、側端縁に鍵溝を刻設した鍵本体のウオードを水平にして鍵孔３に挿入し、例えば時計方向に９０度回して（図において、符号Ｂから符号Ｃへの方向）施錠し、反時計方向に９０度戻して（図において、符号Ｃから符号Ｂへの方向）鍵を引き抜くように操作するものとする。
【００１６】
上記外筒１の外端面には、円筒状突起４が形成されており、その内径は後述の鍵の摘み８の前端部の幅寸法Ｗ（図５参照）よりも大きくなっていて、内径面にはスパイラル状のカム５が形成されている。
【００１７】
円筒状突起４の外周は、外見上の体裁を良くするためと、衣服等が触れた場合に引掛からないようにテーパがつけられている。
【００１８】
図３は、カム５の展開図を示し、図１における符号Ａの角度位置、換言すれば時計盤面に換算して１２時の角度位置において円筒状突起４をその母線に沿って切断して展開し、これを内側から見た図である。
【００１９】
図３において斜線でハッチングした部分は、所定の角度間隔を保って配設された施錠時係合端縁５ｂ及び解錠時係合端縁５ｃに区画されたカム溝５ａとして、円筒状突起の内表面よりも深くなった部分であり、ハッチングされていない部分は、円筒状突起の内表面を示している。
【００２０】
尚、図３において、向かって下側（手前側）は円筒状突起の外端を示し、上側（奥側）は円筒状突起の基端（シリンダ錠側）を示している。
【００２１】
図３から明らかなように、カム５は施錠時係合端縁５ｂと解錠時係合端縁５ｃとを所定の角度間隔で形成した２重の右ねじ形状となっていて、符号Ｂから符号Ｃに向かう時計方向に向かって、手前側から奥側へと進むように形成されている。
【００２２】
また、カム溝５ａの手前側は環堤部が形成されていて正面からは直接カム溝５ａを見ることはできないが、この環堤部は図１でＢ及びＤの角度位置において切り欠かれており、後述するピン１０（図５参照）の入口５ｄとなっている。
【００２３】
一方、図４及び図５は鍵６を示し、この鍵６は側端縁に鍵溝を形成したり、或いは磁石を埋め込んだ鍵本体７と摘み８とから構成されている。図示の実施例では、この鍵本体７は段付の断面矩形の杆体である。
【００２４】
また、摘み８は例えば合成樹脂等の非磁性材質の厚板で、全体の形状が凸字形であり、その中央部には、鍵本体７の基部と摺動可能に嵌合する角孔９が貫通している。
【００２５】
更にまた、摘み８の前端部には、鍵本体７の巾方向に突出する一対のピン１０、１０が植設されている。なお、このピンが植設されている摘みの前端部の幅Ｗは、円筒状突起４の内径より小さく、この摘みの前端部は円筒状突起４の内側に入り込むことができる。
【００２６】
このピン１０は１本でも差支えはないが、後述するカムとの係合操作を考慮すると、力のバランス上２本の方が好適である。
【００２７】
加えて、摘み８には、クリック装置１１が設けられている。
【００２８】
このクリック装置１１は、上記角孔９に直交する付番しないクリックボール孔に収納されたクリックボール１２と、このクリックボール１２を内方に付勢するクリックばね１３と、クリックばね１３の反力を担持すると共に、クリックボール孔の開口を閉塞する止めねじ１４とから構成されている。
【００２９】
上記したクリック装置１１に対応して、鍵本体７の基部側端縁に２つのＶ形溝１５ａ、１５ｂが鍵本体７の長さ方向に沿って形成され、クリックボール１２はこれらのＶ形溝１５ａ、１５ｂのどちらかに選択的に係合する。
【００３０】
他方、摘み８の表面の一部が例えば矩形に切欠かれて表示窓１６が形成されており、この表示窓１６を通じて、鍵本体の後部側面に画かれたマーク１７ａ、１７ｂのどちらかが覗けるようになっている。
【００３１】
しかして、Ｖ形溝１５とマーク１７との関係は、Ｖ形溝１５ａがボール１２と係合するとき、マーク１７ａが表示窓１６に合致し、Ｖ形溝１５ｂがボール１２と係合するとき、マーク１７ｂが表示窓１６に合致するようになっている。
【００３２】
次に、この発明の施解錠確認装置の作動について説明する。
図５において、鍵６は解錠が行われた直後の状態を示し、鍵本体７は摘み８から引張り出された状態になっている。すなわち、マーク１７ｂが表示窓１６に合致している。
【００３３】
この場合、マーク１７ｂが解錠状態を表示するものとし、この状態の鍵を、鍵孔３に挿入すると、ピン１０、１０は夫々入口５ｄ、５ｄを通って円筒状突起４の内面のカム溝５ａに係合し、ピン１０は、図３で入口５ｄに近いαの位置にある。
【００３４】
同時に、鍵によってシリンダ錠の全タンブラーがシアライン上に揃えられ、内筒２が回動可能となる。
【００３５】
この状態で鍵６を時計方向に回すと、ピン１０は図３において左方に押動されるので、施錠時係合端縁５ｂとの間に生じる楔作用により、ピン１０は奥の方、すなわちシリンダ錠に近接する方向の分力を受ける。
【００３６】
内筒の回動中は、鍵本体７は内筒２に拘束されるから、相対的に摘み８がシリンダ錠の方向へ移動する。換言すれば、鍵本体７が相対的に摘み８内に没入する。
【００３７】
したがって、鍵を９０度回してピン１０が図３のβの位置に至ると、Ｖ形溝１５ａがボール１２と係合するとともに、マーク１７ａが表示窓１６に合致する。
【００３８】
次に、鍵を反時計方向に９０度回して、元の位置に戻す。このとき、ピン１０は図３においてβの位置からγの位置にまで水平に移動するだけで外力を受けないので、摘みは施錠時の状態を保持したままである。
【００３９】
この摘みの状態、すなわち、表示窓１６にマーク１７ａが合致している状態が施錠状態を示す。
【００４０】
解錠の場合には、鍵を鍵孔に挿入すると、ピン１０は図３のγの位置に来る。それは、施錠後鍵本体７が摘み８内に没入し、ピン１０は相対的に鍵本体の先端に近接するからである。
【００４１】
この状態で、鍵を反時計方向に９０度回して解錠する。
すると、ピン１０は、図３のγの位置から右方に押動させるので、解錠時係合端縁５ｃとの間に生じる楔作用により、手前のほうに押動される分力を受け、図３でγからδの位置に移動する。
【００４２】
このとき鍵本体７は内筒に拘束されて動けないので、摘み８が相対的に手前側に引張り出され、図５に示す位置にまで復帰する。
【００４３】
この状態で鍵を時計方向に９０度回して元の位置に戻し鍵６を鍵孔から抜き去る。このとき、ピン１０は図３においてδの位置からαの位置にまで水平に移動するだけで外力は受けないから、図５に示す解錠の表示は変らない。
【００４４】
そこで、マーク１７ａと１７ｂに夫々施錠と解錠が容易に認識できるような表示をさせておけば、鍵を外した状況にあっても、鍵を見るだけで錠前の最新の施解錠状態を確認できる。
【００４５】
表示としては、例えば、マーク１７ａを青色に着色し、マーク１７ｂを赤色に着色したり、マーク１７ａを閉と記入し、マーク１７ｂを開と記入してもよい。
【００４６】
次に、第２のタイプのシリンダ錠に本発明を適用した実施例について、説明する。
【００４７】
図６において、外筒１及び内筒２を有するシリンダ錠は、鍵本体のウオードを垂直にして鍵孔３に挿入し、例えば時計方向に１８０度回して施錠し、そのまま引き抜く。
【００４８】
解錠する場合には、同じく鍵本体のウオードを垂直にして鍵孔３に挿入し、反時計方向に１８０度回して解錠し、解錠角度位置でそのまま引抜く。
【００４９】
外筒１の外端面には、円筒状突起４が形成されており、内径面にはスパイラル状のカム５が形成されている点は、第１のタイプのシリンダ錠の場合と同様である。
【００５０】
図７は、カム５の展開図を示し、図６における符号Ａの位置において、円筒状突起を切開き、これを内側から見た図である。
【００５１】
図において、斜線でハッチングした部分は、前記した図３に示すカムと同様に施錠時係合端縁５ｂ及び解錠時係合端縁５ｃに区画されたカム溝５ａとして、円筒状突起の内表面よりも深くなった部分であり、ハッチングされていない部分は、円筒状突起の内表面を示している。
【００５２】
しかして、溝５ａの巾は、摘み８の先端に突設されたピン１０の外径よりもやや大きい寸法となっている。
【００５３】
この図から判るように、カムは２重の右ねじ形状となっており、確動カムを構成している。
【００５４】
一方、鍵６の構造は、第１のタイプのシリンダ錠の場合と同じであるが、鍵本体７に刻設された鍵溝形状は、第２のタイプのシリンダ錠に対応したものであることは言う迄もない。
【００５５】
図５に示す解錠状態を示す鍵６を鍵孔３に挿入すると、ピン１０は図７でαの位置に来る。
【００５６】
この状態で鍵を時計方向に１８０度回して施錠すると、ピン１０は図７で左方に押動され、施錠時係合端縁５ｂがピン１０に呈する反力の図７で上向きの分力により、ピン１０は奥のほうへ押されてβの位置に至り、相対的に摘み８がシリンダ錠の方向へ移動する。
【００５７】
よって、Ｖ形溝１５ａがボール１２と係合するとともに、マーク１７ａが表示窓１６に合致する。ここで鍵を引き抜くと、ピン１０は図７でβの位置から下方に移動し、入口５ｄから抜け出る。
【００５８】
解錠するときには、同様にして鍵を挿入後、反時計方向に１８０度回して解錠し、その解錠角度位置で鍵６鍵孔から引き抜く。
【００５９】
解錠の為鍵を鍵孔に挿入したとき、摘み８は鍵本体７の先端に近接する方向に移動しているから、ピン１０は図７のβの位置に最初から入り込む。
【００６０】
この状態で鍵を反時計方向に回動すると、ピン１０は図７でβの位置から右方に押動され、その結果上記とは反対にαの位置に戻る。
【００６１】
その結果、Ｖ形溝１５ａがボール１２と係合するとともに、マーク１７ｂが表示窓１６に合致し、図５に示された元の位置に戻る。
【００６２】
マーク１７ａ、１７ｂが表示窓を通して、施解錠状態を表示させる機能については、第１のタイプのシリンダ錠の場合と同様であるから、更に詳細な説明は省略する。
【００６３】
尚、この実施例においては、施解錠状態を表示させる手段として、表示窓及び鍵本体の側面に印されたマークを使用しているが、鍵本体と摘みの相対的位置変化を表示できるものであれば、他の方法を使用しても差し支えない。
【００６４】
図示してはいないが、例えば、鍵本体の後端面に突起を突設し、この突起が摘みの後端面よりも外方へ突出していれば施錠状態を示し、突起が摘みの後端面と面一或は引込んでいれば解錠状態を示すといった方法も考えられる。
【００６５】
又、この実施例では、摘みの先端にピンを２本突設しているが、機能的には１本でも差し支えない。
【００６６】
しかし、ピンとカムとの相互作用により、鍵本体と摘みとの相対位置が変化するように構成されているので、ピンが１本であると、ピンとカムとの相互作用が片側に偏心するので、鍵の左右の動きが均等にならず、スムースな摺動の妨げとなることが考えられるので、ピンは２本の方がベターである。
【００６７】
次に、請求項２に記載の発明について説明する。
【００６８】
請求項２に記載の発明は、施解錠確認の機構そのものについては請求項１に記載の発明と本質的に変ったところはないが、鍵の携帯時における施解錠状態を確実に保持するためのロック装置を付設した点が異なっている。
【００６９】
次に、このロック装置２０について、図８乃至図１４を参照して更に詳細に説明する。
【００７０】
なお、図８は鍵の携帯時における鍵６の平面図を示しており、クリック装置１１のクリックボール１２はＶ形溝１５ｂに係合している。すなわち、前述した実施例のとおり、鍵本体７は摘み８から引張り出された状態になっていて、最新の解錠状態を示している。
【００７１】
上記ロック装置２０は、図８及び図１０に示すように、鍵本体７の厚み方向に延在するロックピン２２を植設したスライドプレート２１と、このスライドプレートを鍵本体７に押し付ける方向に付勢するロックばね２３と、ロックばね２３の反力を担持すると共に、摘み８の開口を閉塞する止めねじ２４と、上記スライドプレート２１を制御するトリガーカム１８とから構成されている。
【００７２】
上記のロック装置２０に対応して、鍵本体のＶ形溝１５ａ、１５ｂとは反対側の側端縁には、ロックピン２２の直径よりもわずかに大きい幅の２つの角形溝１９ａ、１９ｂが形成されており、角形溝間の間隔はＶ形溝５ａ、５ｂの間隔と等しく設定されている。
【００７３】
一方、摘み８内には、鍵本体７に沿って長さ方向に移動可能なトリガーカム１８が設けられている。このトリガーカム１８の形状を図１１に例示する。
【００７４】
トリガーカム１８は、両側端縁を摘み８内に形成された溝に摺接させつつその長さ方向に沿って移動可能に案内されており、図１１における上方の端縁１８ｄは鍵本体７の角形溝１９ａ、１９ｂを形成した側端縁と面一になるように配設される。
【００７５】
或いは、このトリガーカムの上方の端縁１８ｄは、図８において鍵本体７の角型溝を形成した側端縁よりやや上方に位置するようにしてもよい。要するに、トリガーカム１８の移動時、ロックピン２２を角型溝１９から完全に引き抜くことができればよい。
【００７６】
トリガーカムの先端１８ａは、鍵の携帯時は、図８に示すように摘み８の前端面より突出しており、また、側端縁１８ｄの後方に形成された斜面状のカム面１８ｂ（図１１参照）はロックピン２２の直前位置になるように各部の寸法が設定されている。
【００７７】
更に、トリガーカム１８の後端面１８ｃは、摘み８内のピン２６に支持されたリーフばね２５により前方に向かって付勢されている。
【００７８】
上記のように構成されたロック装置２０は、図８に示す状態において、ロックピン２２は鍵本体７の先端から遠い方の角形溝１９ｂに係合しており、従って鍵本体７と摘み８との相対移動は禁止され、例え鍵を落としても、又はポケットの中で長さ方向の外力を受けても、鍵本体７と摘み８との相対位置は変らない。
【００７９】
一方、施解錠の為鍵６を円筒状突起４を有するシリンダー錠の鍵孔に挿入すると図１２に示すようになる。
【００８０】
すなわち、鍵６をシリンダ錠の鍵孔に差込むと、トリガーカム１８の先端１８ａはリーフばね２５の弾力に抗してシリンダー錠の外端面により後方（図において右方向）に押動され、その移動過程において、カム面１８ｂがロックピンを押動する力の上方への分力によりスライドプレート２１のロックピン２２は外方（図において上方）に押し上げられる。
【００８１】
その結果、ロックピン２２と角形溝１９ｂとの係合が解かれ、鍵本体７と摘み８との相対移動が可能となる。
【００８２】
ここで鍵を施錠方向に回すと、請求項１に記載の発明の説明において記述したように、鍵本体は摘みに対して引込んだ状態となり、図１３に示すように鍵本体７の後端は摘み８の後端面より外方に突出する。
【００８３】
同時に、ロックピン２２は鍵本体７の長さ方向において角形溝１９ａと整合するに至る。
【００８４】
次に、この状態のまま鍵をシリンダー錠から引抜くと、トリガーカム１８はリーフばね２５の弾力により前方に移動し、ロックピン２２はロックばね２３の弾力により角形溝１９ａの中に入り込み、鍵本体と摘みとの相互移動を禁止する。
【００８５】
この結果、図１４で示したように、鍵本体の後端が摘みの後端面より突出した状態でロックされる。
【００８６】
上記したように、第２の実施例では、鍵本体の後端が摘みの後端面と面一或いは引込んでいわば解錠状態を示し、逆に突出していれば施錠状態を示している。
【００８７】
従って、暗い場所においても摘みの後端面を指先で触れるだけで、鍵本体の後端と摘みの後端面との位置関係が判り、施解錠状態を確認することができるので、特に高齢者や視覚障害者にとっては利用し易いという利点がある。
【００８８】
なお、図示の実施例において鍵本体７の後端が摘み８の後端から突出した状態を施錠状態に対応させたのは、扉の自由側端縁からデッドボルトが突出した施錠状態を連想させんが為であって、別に深い意味はない。
【００８９】
また、鍵の携帯時においては、鍵本体と摘みとは相互に移動不可能にロックされているため、不用意に鍵を床面に落としたり、或いは、指先で鍵本体と摘みとの間に力を加えても、鍵本体の位置は動くことなく、常に正確な施解錠状態を保持できる。
【００９０】
【発明の効果】
以上に説明したように、この発明の施解錠確認装置は、磁石等を使用せず、鍵を施解錠するときに行われる鍵の回動作用を、機械的に鍵本体と摘みの相対位置の変化に変換するものであるから、確実に作動し、信頼性が非常に高い。
【００９１】
又、鍵本体が摘みに対して相対位置の変化を起こすとき、この作用がクリック装置１１を作動させるので、音を発生するとともに、摘みを握った指先に衝撃力を感じさせるので、確実に施解錠装置が働いたことがユーザーに容易に感知できるという効果をも奏する。
【００９２】
なお、円筒状突起の突出量は、図３の環堤部の厚さを１ｍｍ、ピンの径を２ｍｍ、マークの移動量を３ｍｍとすれば、合計６ｍｍ程度の小さなものにすることができ、シリンダー錠側に大きな寸法の変更を強いる必要が無い。
【図面の簡単な説明】
【図１】この発明による施解錠確認装置を備えた、第１のタイプのシリンダ錠の正面図。
【図２】この発明の一実施例による施解錠確認装置を備えた第１のタイプのシリンダ錠の側面図。
【図３】第１のタイプのシリンダ錠の場合のカムの展開図。
【図４】この発明の一実施例による施解錠確認装置を備えた鍵の側面図。
【図５】この発明の一実施例による施解錠確認装置を備えた鍵の正面図。
【図６】この発明の一実施例による施解錠確認装置を備えた第２のタイプのシリンダ錠の正面図。
【図７】第２のタイプのシリンダ錠の場合のカムの展開図。
【図８】この発明の第２の実施例による施解錠確認装置を備えた鍵の正面図。
【図９】この発明の第２の実施例による施解錠確認装置を備えた鍵の側面図。
【図１０】図８の矢印Ｘ−Ｘで切断した断面図。
【図１１】トリガーカムの平面図。
【図１２】第２の実施例における解錠状態を表示した鍵をシリンダー錠に挿入したときの説明図。
【図１３】図１２の状態から鍵を施錠した直後の状態を示す説明図。
【図１４】図１３の状態から鍵をシリンダー錠から引抜いた状態を示す説明図。
【符号の説明】
１  外筒
２  内筒
３  鍵孔
４  円筒状突起
５  カム
５ａ  カム溝
５ｂ  施錠時係合端縁
５ｃ  解錠時係合端縁
６  鍵
７  鍵本体
８  摘み
９  角孔
１０  ピン
１６  表示窓
１７ａ  マーク
１７ｂ  マーク
１８  トリガーカム
１９ａ  角形溝
１９ｂ  角形溝
２０  ロック装置
２１  スライドプレート
２２  ロックピン
２３  ロックばね
２４  止めねじ
２５  リーフばね
２６  ピン
【図１】
0003897315.tif 000002
【図２】
0003897315.tif 000003
【図３】
0003897315.tif 000004
【図４】
0003897315.tif 000005
【図５】
0003897315.tif 000006
【図６】
0003897315.tif 000007
【図７】
0003897315.tif 000008
【図８】
0003897315.tif 000009
【図９】
0003897315.tif 000010
【図１０】
0003897315.tif 000011
【図１１】
0003897315.tif 000012
【図１２】
0003897315.tif 000013
【図１３】
0003897315.tif 000014
【図１４】
0003897315.tif 000015